(57)【要約】      （修正有）【課題】単に腟内に挿入するだけのものではなく、また腟括約筋や腟奥壁を自動的にマッサージし得るようなものであり、さらなる夫婦生活の充実を実現することができ、またパートナーをリラックスさせるマッサージ目的にも利用し得るマッサージ具を提供する。【解決手段】突起部と、この突起部の根元に設けられ振動発生機に被せて振動発生機を取り付けることができるキャップ状部と、突起部とキャップ状部との間に設けられこれ等とは略直角の方向に向かう丘状部とから成り、全体は柔軟なゴム素材により形成されているマッサージ具と成した。またキャップ状部に振動発生機を取り付けて成るものとした。【選択図】図１
0003174315.tif 000002
【実用新案登録請求の範囲】
【請求項１】
突起部と、この突起部の根元に設けられ振動発生機に被せて振動発生機を取り付けることができるキャップ状部と、前記突起部と前記キャップ状部との間に設けられこれ等とは略直角の方向に向かう丘状部とから成り、全体は柔軟なゴム素材により形成されている、マッサージ具。
【請求項２】
前記キャップ状部に振動発生機が取り付けられている請求項１に記載のマッサージ具。
【請求項３】
前記振動発生機の前記キャップ状部を被冠する部位が滑り難い素材で構成されている、請求項２に記載のマッサージ具。
【請求項４】
前記振動発生機は突起部の方向にリニア振動を行うリニアモータを含むものである、請求項２に記載のマッサージ具。
【考案の詳細な説明】
【技術分野】
【０００１】  この考案は、夫と妻が協働して夫婦生活の充実を図るためのマッサージ器具に関するものであり、ロータ（電池仕掛けで振動するモータを含むもの）を後付けできるようにした（着脱自在な）ものに関する。
【背景技術】
【０００２】  夫と妻が協力して用い夫婦生活を充実させるための器具に腟内に挿入するマッサージ器具がある。多くは陰茎を模した突起部分とハンドル部分とが棒状に連なった形状のものである。
【考案の概要】
【考案が解決しようとする課題】
【０００３】  しかしながら単に腟内に挿入するだけのものではなく、また腟括約筋や腟奥壁を自動的にマッサージし得るようなものであれば、さらなる夫婦生活の充実を実現することができる。またパートナーをリラックスさせるツボ押しなどのマッサージにも利用し得るものであればなお良い。【０００４】  この考案は上述したような問題を克服して、夫と妻が協力して用いるのに好適なマッサージ具を提供することを目的とする。
【課題を解決するための手段】
【０００５】  そこでこの考案のマッサージ具は突起部と、この突起部の根元に設けられ振動発生機に被せて振動発生機を取り付けることができるキャップ状部と、前記突起部と前記キャップ状部との間に設けられこれ等とは略直角の方向に向かう丘状部とから成り、全体は柔軟なゴム素材により形成されていることを特徴とするものとした。【０００６】  この考案のマッサージ具はこれ単独で使用することができる。夫がキャップ状部を持って突起部を妻の腟内に挿入し、いろいろ工夫して妻の反応を調べ、その日の体向や心地よく感ずる部位を夫婦で割り出すようにして使用する。なおこの際丘状部の突起部に向かう側が陰核に当たるようにする。なおまた突起部は妻の腟内に挿入するのではなく、体表のツボの部位を押すのにも利用し得るし、突起部と丘状部とで形作られた谷間の部位は、腕を曲げた時の肘や脚を曲げた時の膝、手を甲側に反らせた時の腰腿点の辺り、顎や肩や踵などと言った身体突出部位の押し揉みにも利用し得る。【０００７】  従ってこの考案のマッサージ具は、少なくとも突起部や丘状部がシリコーンゴムのような柔軟な素材で構成されていることが望ましい。【０００８】  ところでこの考案のマッサージ具は突起部の根元にキャップ状部がありここに振動発生機を取り付けることができる。キャップ状部を振動発生機に被せるようにして取り付けるのである。こうして振動発生機のスイッチを入れると、そこから発生したマッサージ振動が突起部や丘状部に伝わるため、たとえ夫が手を動かさなくとも腟括約筋や腟奥壁を自動的にマッサージすることができる。もちろん手の動きを加えても良い。【０００９】  なおこの考案のマッサージ具はもともと前記キャップ状部に振動発生機が取り付けられているものと、あるいは取り付け得るようにセットで提供するものとすることができる。振動発生機で一般的なものが電気動力で動くモータのシャフトに重りを、重りの重心位置をシャフトから外すようにして固定した振動モータを含むものを上げる。この電動モータのシャフトが回転すると重りが回転するが、この時の重りの偏りに伴い作用する遠心力で電動モータがマッサージ性の振動を発生することになる。このような振動発生機の一部はロータと呼ばれている。【００１０】  このような振動発生機付きのマッサージ具に関して、振動発生機のキャップ状部を被冠する部位が滑り難い素材で構成されていると好都合である。振動発生機からキャップ状部が取れ難くなるからである。滑り難い素材として各種ゴムを上げる。あるいは振動発生機のキャップ状部を被冠する部位に凹凸や溝を形成することでも滑り難くすることが可能である。【００１１】  ところで振動発生機には、回転する部位を含むことなく、重りにリニア振動を行わせるタイプのものもある。一例を挙げるならば振動発生部が電磁コイルと、この中に往復振動可能に納められ電磁コイルとの間に引力と斥力とが交互に働くようにした振動子と、から成るものである。このようなリニア振動タイプの振動発生機を用いると、マッサージ具を挿入する方向と同じ方向に自動的に往復振動して腟括約筋や腟奥壁をマッサージすることができるようになる。もちろん手の動きを加えても良いのは言うまでもない。なお振動方向を挿入���向にほぼ一致させることで、回転振動の場合と比較して、振動発生部からマッサージ具が外れ難くなる場合がある。
【考案の効果】
【００１２】  このようにこの考案のマッサージ具によれば腟内さらには陰核を刺激するに止まらず、腟括約筋や腟奥壁や陰核を振動発生機の振動によって自動的にマッサージすることができるようになった。またパートナーをリラックスさせるマッサージ目的に利用しても良い。こうして夫と妻が協力して用いるのに好適なマッサージ具を提供することができた。
【図面の簡単な説明】
【００１３】
【図１】  この考案の実施例１の説明図である。
【図２】  同説明図である。
【図３】  この考案の実施例２の説明図である。
【図４】  この考案の実施例３の説明図である。
【考案を実施するための形態】
【実施例１】
【００１４】  マッサージ具１の全体は柔軟なシリコーンゴム製に成る。マッサージ具１は突起部１０と、この突起部１０の根元に設けられ図示しない振動発生機に被せて振動発生機を取り付けることができるキャップ状部１１と、突起部１０とキャップ状部１１との間に設けられこれ等とは略直角の方向に向かう丘状部１３とから成る。キャップ状部１１の突起部１０とは反対の側は振動発生機の装着口１２となっている。突起部１０の丘状部１３に対する側には顎部１５が形成されて細首状を呈するＵ字状部１６となりそのまま丘状部１３へと連続するカーブを描いている。また丘状部１３の突起部１０に対する側には多数の小突起１４が設けられている。以上図１および図２を参照されたい。【００１５】  突起部１０には顎部１５が形成されておりこの顎部１５は言わば逆止突起のごとく作用するため、突起部１０が膣から抜け出し難く、逆に膣の奥へと移動するようにバイアスが掛けられる。丘状部１３には多数の小突起１４が設けられているため、小突起１４が陰核に当たって刺激を与える。さらに小突起１４は振動発生機の振動を効果的に陰核に伝えるものとなる。
【実施例２】
【００１６】  図３で示したものは実施例１のマッサージ具１に振動発生機２をセットしたマッサージ具である。振動発生機２はキャップ状部１１に装着口１２から装着されている。この際に振動発生機２が装着口１２とキャップ状部１１とを膨らませるようにしてきつく嵌り込むようにキャップ状部１１が設計されている。なお振動発生機２はケース２０にシリコーンゴム製のゴムカバー２１が被せられており、このゴムカバー２１によっても振動発生機２がキャップ状部１１に密着してキャップ状部１１から外れ難くなる。【００１７】  振動発生機２に付いてケース２０内部の先端部分に鎖線で表したような電動モータ３が納められている。電動モータ３の回転するシャフト３０には重り３１が、重り３１の重心位置をシャフト３０の回転中心から外すようにして固定されている。そして電動モータ３のスイッチを入れると重り３１偏心状態で回転するため電動モータ３からマッサージ性の振動が生じ、この振動がキャップ状部１１を介して突起部１０と丘状部１３とに伝えられることになる。
【実施例３】
【００１８】  実施例２では電動モータ３を含む振動発生機２を取り上げたが、この実施例ではリニア振動タイプの振動発生機を用いた例を上げる。図４を参照されたい。ここで用いたリニア回路４０は図示しない電磁コイルと、この中に往復振動可能に納められ電磁コイルとの間に引力と斥力とが交互に働くようにした図示しない振動子と、から成る。リニアモータと呼ぶ場合がある。発振回路４１はリニア回路４０に印加する交番電流を発生するが、この周波数はコントローラ４により制御される。二次電池４２には図示しないＡＣアダプタを介して家庭用電源から充電され、さらにこの電力が配線を介してコントローラ４やリニア回路４０や発振回路４１へと供給される。【００１９】  そして上記振動子の振動方向を突起部１０が膣に挿入される方向に一致するように設定するのである。突起部１０を挿入する方向と同じ方向に往復振動が生じて腟括約筋や腟奥壁がマッサージされる。
【産業上の利用可能性】
【００２０】  上述したようにこの考案は、突起部や丘状部によって皮膚下のツボを押すものとして構成し得るし、突起部と丘状部とで形作られた谷間の部位（Ｕ字状部）は、腕を曲げた時の肘や脚を曲げた時の膝、手を甲側に反らせた時の腰腿点の辺り、顎や肩や踵などと言った身体突出部位の押し揉み用にも構成し得るものである。
【符号の説明】
【００２１】１  マッサージ具                １０突起部
１１キャップ状部                １２装着口
１３丘状部                      １４小突起
１５顎部                        １６Ｕ字状部
２  振動発生機                  ２０ケース
２１ゴムカバー                  ３  電動モータ
３０シャフト                    ３１重り
４  コントローラ                ４０リニア回路
４１発振回路                    ４２二次電池
【図１】
0003174315.tif 000003
【図２】
0003174315.tif 000004
【図３】
0003174315.tif 000005
【図４】
0003174315.tif 000006